(57)【要約】【課題】  この発明は、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できる音声回路を提供することを目的とする。【解決手段】  音声モニター出力端子としてステレオ・ホーンジャックが用いられている機器における音声回路において、ステレオ・ホーンジャックの各接片が、常に、抵抗を介して接地されている。【選択図】  図３
2005064714.tif 000002
【特許請求の範囲】
【請求項１】
音声モニター出力端子としてステレオ・ホーンジャックが用いられている機器における音声回路であって、入力音声信号をステレオ・ホーンジャックに供給するための第１回路、およびステレオ・ホーンジャックにプラグが挿入されていないときに、ステレオ・ホーンジャックに供給された音声信号を、スピーカ用音声信号を生成するための音声出力回路に供給するための第２回路を備え、ステレオ・ホーンジャックにプラグが挿入されたときには、第２回路への音声信号の供給が遮断され、ステレオ・ホーンジャックに供給された音声信号が当該プラグを介して外部機器に供給される音声回路において、ステレオ・ホーンジャックの各接片が、常に、抵抗を介して接地されていることを特徴とする音声回路。
【請求項２】
ステレオ・ホーンジャックの接片としては、左チャンネル用外側接片、右チャンネル用外側接片、左チャンネル用内側接片および右チャンネル用内側接片があり、これらの各接片がそれぞれ別々の抵抗を介して接地されていることを特徴とする請求項１に記載の音声回路。
【発明の詳細な説明】
【技術分野】
【０００１】
この発明は、ステレオ・ホーンジャックをモニター出力端子として有している機器における音声回路に関する。
【背景技術】
【０００２】
従来のＴＶ、ラジオ、オーディオ機器に設けられているステレオ・ホーンジャックは、イヤホーンまたはヘッドホーンを接続するためのものである。このようなステレオ・ホーンジャックには、内部スピーカ用の音声信号が供給されており、ステレオ・ホーンジャックに外部からプラグが挿入されていない場合には、ステレオ・ホーンジャックを介して内部スピーカに音声信号が与えられる。ステレオ・ホーンジャックに外部からプラグが挿入されると、ホーンジャックの外側接片と内側接片との接触が解除されるため、内部スピーカに音声信号が供給されなくなる。
【０００３】
図１は、ホーンジャックをモニター出力端子として有している機器における従来の音声回路の全体的な構成を示している。
【０００４】
ステレオの入力音声は、入力信号選択および音量コントロール回路１を介してホーンジャック２に供給される。ホーンジャック２に外部機器に接続されたプラグ３が挿入されていない場合には、ホーンジャック２に供給されたステレオ音声信号は、ステレオ／モノラル変換回路４に送られ、モノラル音声信号に変換される。ステレオ／モノラル変換回路４から出力されるモノラル音声信号は、音声出力ＩＣ（音声出力回路）５を介して内部スピーカ６に供給される。
【０００５】
ホーンジャック２にプラグ３が挿入された場合には、ホーンジャック２の外側接片２１Ｌ、２１Ｒと内側接片２２Ｌ、２２Ｒとの接触状態が解除されるため、ホーンジャック２に供給されたステレオ音声信号は、ステレオ／モノラル変換回路４には送られず、プラグ３を介して外部機器に供給される。
【０００６】
図２は、従来の音声回路の具体的な構成を示している。
【０００７】
複数の入力音声信号は、入力信号選択および音量コントロール回路１に入力する。入力信号選択および音量コントロール回路１は、複数の入力音声信号から１つの入力音声信号を選択し、そのゲインを制御する。
【０００８】
入力信号選択および音量コントロール回路１から出力されたステレオ音声信号の左チャンネル信号は抵抗Ｒ１、トランジスタＴｒ１および抵抗Ｒ３からなるエミッタホロワ回路、ＤＣ成分カット用のコンデンサＣ１ならびに出力抵抗Ｒ５を介してホーンジャック２の外側接片２１Ｌに送られる。
【０００９】
入力信号選択および音量コントロール回路１から出力されたステレオ音声信号の右チャンネル信号は抵抗Ｒ２、トランジスタＴｒ２および抵抗Ｒ４からなるエミッタホロワ回路、ＤＣ成分カット用のコンデンサＣ２ならびに出力抵抗Ｒ６を介してホーンジャック２の外側接片２１Ｒに送られる。
【００１０】
コンデンサＣ１、Ｃ２および抵抗Ｒ５、Ｒ６は、機器外部に出た出力信号がＧＮＤや外部の電源とショートした時などに、機器内部の回路を保護するために設けられているものである。また、抵抗Ｒ５とホーンジャック２との中間点とＧＮＤとの間に設けられた抵抗Ｒ７および抵抗Ｒ６とホーンジャック２との中間点とＧＮＤとの間に設けられた抵抗Ｒ８は、それぞれコンデンサＣ１、Ｃ２の放電抵抗であり、出力電位を安定させるために設けられたものである。
【００１１】
ホーンジャック２の外側接片２１Ｌに送られた左チャンネル信号およびホーンジャック２の外側接片２１Ｒに送られた右チャンネル信号は、ステレオ／モノラル変換回路に送られて、モノラルの音声信号に変換される。
【００１２】
つまり、ホーンジャック２の外側接片２１Ｌに送られた左チャンネル信号は、ホーンジャック２の内側接片２２Ｌを介して、抵抗Ｒ９、トランジスタＴｒ３および抵抗Ｒ１１からなるエミッタホロワ回路に送られる。同様に、ホーンジャック２の外側接片２１Ｒに送られた右チャンネル信号は、ホーンジャック２の内側接片２２Ｒを介して、抵抗Ｒ１０、トランジスタＴｒ４および抵抗Ｒ１２からなるエミッタホロワ回路に送られる。
【００１３】
一方のエミッタホロワ回路の出力と、他方のエミッタホロワ回路の出力とは、それぞれ抵抗Ｒ１３、Ｒ１４を介して足し合わされて、モノラル化された後、抵抗Ｒ１５、トランジスタＴｒ５および抵抗Ｒ１６からなるエミッタホロワ回路、コンデンサＣ３ならびに音声出力ＩＣ５を介して内部スピーカ６に供給される。抵抗１５は、音声出力ＩＣ５が一般的に＋２０〜＋４０ｄＢの大きな定利得を持つので、機器の定格に合わすために、音声信号の振幅を下げて調整するために設けられている。
【００１４】
プレゼンテーションなどに使用される小型の液晶プロジェクタは、機器を軽量化、小型化するために、内部スピーカとしてはモノラルで小型のものが使用され、その音量も大きくない。これに対して、液晶プロジェクタに入力される音声信号はステレオの音声信号であり、内部スピーカへはステレオの音声信号がモノラル化された後の音声信号が供給される。
【００１５】
ただし、オーディオアンプなどの外部オーディオ機器への外部音声出力としては、モノラル化されたスピーカ出力ではなく、ステレオで音量コントロールされた音声モニタ信号が用いられる。
【００１６】
また、小型の液晶プロジェクタでは、機器自体が小さいので、入出力端子の占める面積を小さくするため、音声出力端子としては、ＲＣＡジャックではなく、ステレオ・ホーンジャックを用いることが多い。そして、スピーカ出力信号等の低インピーダンス信号と異なり、ステレオで音量コントロールされた音声モニタ信号をホーンジャックに供給しているため、機器内部の音声信号のＳ／Ｎ比が低下したり、外部からのプラグの抜き差し時には、ボツ音やゴソゴソ音等の接触ノイズが発生しやすい。
【発明の開示】
【発明が解決しようとする課題】
【００１７】
この発明は、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できる音声回路を提供することを目的とする。
【課題を解決するための手段】
【００１８】
請求項１に記載の発明は、音声モニター出力端子としてステレオ・ホーンジャックが用いられている機器における音声回路であって、入力音声信号をステレオ・ホーンジャックに供給するための第１回路、およびステレオ・ホーンジャックにプラグが挿入されていないときに、ステレオ・ホーンジャックに供給された音声信号を、スピーカ用音声信号を生成するための音声出力回路に供給するための第２回路を備え、ステレオ・ホーンジャックにプラグが挿入されたときには、第２回路への音声信号の供給が遮断され、ステレオ・ホーンジャックに供給された音声信号が当該プラグを介して外部機器に供給される音声回路において、ステレオ・ホーンジャックの各接片が、常に、抵抗を介して接地されていることを特徴とする音声回路。
【００１９】
請求項２に記載の発明は、請求項１に記載の音声回路において、ステレオ・ホーンジャックの接片としては、左チャンネル用外側接片、右チャンネル用外側接片、左チャンネル用内側接片および右チャンネル用内側接片があり、これらの各接片がそれぞれ別々の抵抗を介して接地されていることを特徴とする。
【発明の効果】
【００２０】
この発明によれば、ホーンジャックを音声モニター出力端子として有する機器において、簡単な回路構成で、機器内部の音声信号のＳ／Ｎ比が低下したり、外部からのプラグの抜き差し時にボツ音やゴソゴソ音等の接触ノイズが発生するといったことを回避できるようになる。
【発明を実施するための最良の形態】
【００２１】
以下、図面を参照して、この発明の実施の形態について説明する。
【実施例１】
【００２２】
図３は、この発明の実施の形態での音声回路の構成を示している。図３において、図２と同じものには、同じ符号を付してその説明を省略する。
【００２３】
入力信号選択および音量コントロール回路１からホーンジャック２に音声信号を供給するための回路は、図２と同じである。この実施の形態では、ホーンジャック２の内側接片２２Ｌが抵抗Ｒ３１を介して接地されているとともに、ホーンジャック２の内側接片２２Ｒが抵抗Ｒ３２を介して接地されている。より具体的には、内側接片２２Ｌと抵抗Ｒ９との接続点が抵抗Ｒ３１を介して接地されている。また、内側接片２２Ｒと抵抗Ｒ１０との接続点が抵抗Ｒ３２を介して接地されている。抵抗Ｒ３１、Ｒ３２は、図２の従来では設けられていなかった抵抗である。
【００２４】
一般に、出力抵抗Ｒ５、Ｒ６を１ＫΩとすると、放電抵抗Ｒ７、Ｒ８としては、その抵抗値が出力抵抗Ｒ５、Ｒ６より非常に大きい１００ＫΩ以上のものが用いられる。図２においてもこの点においては同じである。
【００２５】
本実施の形態において、追加された抵抗Ｒ３１、Ｒ３２としては、その抵抗値が放電抵抗Ｒ７、Ｒ８より小さい１０ＫΩ程度のものが用いられる。これらの抵抗Ｒ３１、Ｒ３２により、ホーンジャック２を介してトランジタＴｒ３、Ｔｒ４に送られる信号は、従来に比べて１０％程度小さくなるが、モノラル化する時の振幅合わせのための抵抗Ｒ１５の抵抗値を大きくすることによって補償することが可能である。
【００２６】
一般に、音声のボツ音の原因は、音声信号のＤＣ電位が乱れることによるものである。ＤＣ電位の乱れは、回路の電源の立ち上がり／立ち下がりでも発生するが、ホーンジャック２に対するプラグの抜き差し時での負荷変動等のインピーダンス変化によって発生することも多い。
【００２７】
この実施の形態では、ホーンジャック２の外側接片２１Ｌ、２１Ｒは、それぞれ抵抗Ｒ７、Ｒ８を介して接地されているとともに、内側接片２２Ｌ、２２Ｒも、それぞれ抵抗Ｒ３１、Ｒ３２を介して接地されている。つまり、この実施の形態では、ホーンジャック２の各接片２１Ｌ、２１Ｒ、２２Ｌ、２２Ｒに常にＧＮＤの電位を与えているので、ＤＣ電位が安定し、プラグの抜き差しによる接片の接触ノイズが抑えられ、回路動作が安定し、信号のＳ／Ｎ比も安定する。
【００２８】
また、一般に、音声入力抵抗は１０ＫΩ以上なので、外部機器と接続された状態となるプラグ挿入時と、プラグ未挿入時とで、ほぼ同等の抵抗がホーンジャック２に存在していることになる。このことは、プラグの抜き差し時のモニタ出力側の接片の負荷変化が少ないことになる。したがって、モニター出力を受ける外部機器側もボツ音が抑えられるようになる。
【００２９】
上記実施の形態によれば、ホーンジャック２に信号を通すことによる機械的な接触ノイズや、外部からのプラグの接続の有無による負荷変化を抑えられるので、外部機器側も本体側も相互にＳ／Ｎ比の低下やプラグ抜き差しによる過渡的なＤＣ電位の暴れによるボツ音を抑えることができる。
【図面の簡単な説明】
【００３０】
【図１】ホーンジャックをモニター出力端子として有している機器における従来の音声回路の全体的な構成を示すブロック図である。
【図２】従来の音声回路の具体的な構成を示す電気回路図である。
【図３】本発明の実施の形態である音声回路の具体的な構成を示す電気回路図である。
【符号の説明】
【００３１】
１  入力信号選択および音量コントロール回路
２  ホーンジャック
３  プラグ
５  音声出力ＩＣ
６  内部スピーカ
２１Ｌ、２１Ｒ  外側接片
２２Ｌ、２２Ｒ  内側接片
Ｔｒ１、Ｔｒ２、Ｔｒ３、Ｔｒ４、Ｔｒ５  トランジスタ
Ｒ７、Ｒ８、Ｒ３１、Ｒ３２  抵抗
【図１】
2005064714.tif 000003
【図２】
2005064714.tif 000004
【図３】
2005064714.tif 000005